(57)【要約】【課題】  ＤＶＤ情報をネットワークを通じてディスプレー可能な他機器に伝送する時、他機器で使用者の制御命令に応じてＤＶＤ情報を制御する。【解決手段】  ネットワークを通して情報を受信する装置であって、ネットワークを通してプログラムストリームを受信する受信器と、プログラムストリームを伝送ストリームへ変換する、伝送フォーマット変換器と、ユーザコマンドを受信するユーザインターフェースマネージャと、ビットマップ画像情報を発生するために、伝送フォーマット変換器により抽出されたサブピクチャを復号する、サブピクチャプロセッサと、スクリーン制御情報を発生するために、伝送フォーマット変換器から抽出されたナビゲーションデータを復号する、ナビゲーションデータプロセッサとを有し、プログラムストリーム内のサブピクチャ情報とナビゲーション情報は、非同期式チャネルを通して受信される。【選択図】      図２
2006129528.tif 000002
【特許請求の範囲】
【請求項１】
同期式チャネルと非同期式チャネルを備えるネットワークを通して、情報を受信する装置であって、
ネットワークを通してプログラムストリームを受信する受信器と、プログラムストリームを伝送ストリームへ変換する、伝送フォーマット変換器と、
ユーザコマンドを受信するユーザインターフェースマネージャと、
ビットマップ画像情報を発生するために、伝送フォーマット変換器により抽出されたサブピクチャを復号する、サブピクチャプロセッサと、スクリーン制御情報を発生するために、伝送フォーマット変換器から抽出されたナビゲーションデータを復号する、ナビゲーションデータプロセッサと
を有し、プログラムストリーム内のサブピクチャ情報とナビゲーション情報は、非同期式チャネルを通して受信される装置。
【請求項２】
ユーザインターフェースマネージャは、非同期式チャネルを通して受信されたナビゲーション情報を受信する、請求項１に記載の装置。
【請求項３】
ユーザインターフェースマネージャは、受信された情報がナビゲーションに関連するコマンドのときには、非同期式チャネルを通して受信された情報を、物理層を通してその装置に接続されたナビゲーションデータプロセッサへ伝送する、請求項２に記載の装置。
【請求項４】
ユーザインターフェースマネージャは、ユーザコマンドがプレゼンテーションに関連するコマンドのときには、ユーザインターフェース表示を制御する制御情報を発生する、請求項２或は３に記載の装置。
【請求項５】
更に、サブピクチャプロセッサからのビットマップ画像情報を受信し且つナビゲーションデータプロセッサからのスクリーン制御情報を受信する、ビデオミキサを有する、請求項１に記載の装置。
【発明の詳細な説明】
【技術分野】
【０００１】
本発明はデジタルデータ伝送分野に係り、特にＤＶＤ情報をネットワークを通じて使用者インタフェースディスプレーが可能なデバイスに伝送し、このデバイスにおいてＤＶＤ情報を制御しうる伝送装置及びその方法に関する。
【背景技術】
【０００２】
一般に、ＤＶＤ（Digital  Versatile  Disc）プレーヤーはディスクから読出されたビットストリームをそれ自体に内蔵されているビデオデコーダにより復号化し、復号化されたビデオ信号がＮＴＳＣエンコーダによりアナログＴＶ信号に変換されて出力される。
【０００３】
このような一般のＤＶＤプレーヤーの構成は図１に示されており、スピンドルモータ（ＳＰ）１０４はディスク１０２の回転を担当する。ピックアップ部１０６はディスク１０２からデータを読出すためにレーザー光がディスクに照射されると、これからの反射光を受信する。ピックアップ部１０６にはピックアップの移送及びディスクローディングのための機構であるデッキメカニズムが含まれている。高周波増幅部（ＲＦ−ＡＭＰ）１０８はピックアップ部１０６でピックアップされたＲＦ信号の増幅、雑音除去、Ａ／Ｄ変換、同期検出などを行い、サーボコントローラ１１０はシステムコントローラ１１６の制御下にディスク１０２上のデータを正確に読出せるようにディスク回転制御、ピックアップの集束及びトラッキング制御などを行う。ＲＦ−ＡＭＰ１０８から出力されるＥＦＭ（Eight  to  Fourteen  Modulation）信号はデジタル信号プロセッサー（ＤＳＰ）１１２に提供される。
【０００４】
ＤＳＰ１１２はディスク１０２から読出されたＥＦＭ信号を復調し、検出された同期に基づいてＰＬＬ（フェーズロックドループ）を用いたデータの位相補正、デスクランブリング、エラー検出／訂正、バッファ１１４制御などの機能を行う。ディスク１０２に書込まれる信号の伝送率がＤＳＰ１１２を通じて読出される信号の伝送率より大きいか、または同一なのでＤＳＰ１１２で処理されたデータはバッファ１１４に一時貯蔵された後、ＭＰＥＧビデオデコーダ１２８とＭＰＥＧオーディオデコーダ１３０の要求に応じて貯蔵されたデータが伝送される。このような一連の過程がシステムコントローラ１１６の制御によりバッファ１１４でオーバーフローまたはアンダーフローが発生しないように行われる。また、ＤＳＰ１１２はディスク１０２から読出されたビットストリーム内の制御用データ部分を検出してシステムコントローラ１１６に提供する。
【０００５】
ＤＳＰ１１２から提供されるデータはディスクに応じてデジタル複製防止のためにスクランブルされたデータでありうる。この場合にはＣＳＳ（Content  Scramble  System)デコーダ１２２によってデスクランブルされる。デスクランブルされたストリームはＭＰＥＧ(Moving  Picture  Expert  Group）で規定しているプログラムストリームである。このプログラムストリームはＭＰＥＧ−１またはＭＰＥＧ−２フォーマットのビデオパック、ＭＰＥＧ、ＡＣ(Audio  Coding)−３または線形ＰＣＭ形式のオーディオパック、サブピクチャーパック、ナビゲーションパック等で構成されている。
【０００６】
ＣＳＳデコーダ１２２はＤＳＰ１１２から提供されるビットストリームをデスクランブルさせ、逆多重化器（ＤＥＭＵＸ）１２４はデスクランブルされたストリームを逆多重化するが、即ち、オーディオパック、ビデオパック、サブピクチャーパック及びナビゲーションパックなどに区分し、ＭＰＥＧビデオデコーダ１２８は逆多重化されたビデオパックを復号化し、ＭＰＥＧオーディオデコーダ１３０は逆多重化されたオーディオパックを復号化し、サブピクチャーデコーダ１３２は逆多重化されたメニュー及び字幕等のサブピクチャーパックを復号化する。ビデオ合成器１３４は復号化されたビデオデータとサブピクチャーデータとを合成（ミキシング）し、ビデオデジタル−アナログ変換器（ＤＡＣ）１３６はビデオ合成器１３４の出力をアナログ信号に変換した後、ビデオエンコーダ１３８を通じてアナログエンコーディングされたビデオ信号として出力する。オーディオＤＡＣ１４０はＭＰＥＧオーディオデコーダ１３０により復号化されたオーディオデータをアナログオーディオ信号として出力する。
【０００７】
ＣＰＵインタフェース（Ｉ／Ｆ）１２６はＭＰＥＧビデオデコーダ１２８、ＭＰＥＧオーディオデコーダ１３０、サブピクチャーデコーダ１３２においてＭＰＥＧフォーマットによる与えられたタイミングに復号化が行なわれるようにシステムコントローラ１１６とインタフェースする。
【０００８】
第１メモリ１１８はシステムコントローラ１１６において必要な各種プログラム貯蔵用メモリであって、一例としてＥＰＲＯＭ（Erasable  Programmable  Read−only  Memory）で構成でき、フロントコントローラ１２０は使用者がメニューを見てリモコンまたはプレーヤーのフロントパネル上のキーを入力するとキー入力に応じるキーデータをシステムコントローラ１１６に伝送する。
【０００９】
前述したような一般のＤＶＤプレーヤーから得られた映像及び音声情報をテレビ受像機またはモニターなどのディスプレー可能な他機器に伝送するために、全てのＤＶＤプレーヤーは映像及び音声信号を各々決まった信号線を使用してアナログインタフェース方式で伝送している。即ち、ＤＶＤプレーヤー及び他機器は両装置に各々備えられているコネクタに映像のための第１チャンネル及び音声のための第２乃至第６チャンネルなど多数の信号線を使用者が直接連結して情報伝送チャンネルを構成し、ＤＶＤプレーヤーから提供される映像信号及び音声信号はアナログ信号の形に信号線を通じて他機器に伝送される。より高画質の映像情報伝送のためにスーパービデオ（Ｓ−Ｖｉｄｅｏ）出力を分離し、このためのケーブルを使用して伝送する方式もあるが、基本的にアナログ信号を伝送することは同一である。
【００１０】
また、デジタル信号の形に情報を伝送するために、現在一部のＤＶＤプレーヤーは映像信号をデジタル形態にコネクタに出力し、信号線を通じてデジタル形式の情報が他機器に伝送されるＳＰＤＩＦ（Sony  Philips  Digital  Interface）を用いたインタフェース方式を採択しているが、他機器でＤＶＤプレーヤーを制御したり、ＤＶＤプレーヤーの動作状態を監視するなどの更に複雑な機能は支援できない問題点があった。
【００１１】
前述したようなアナログインタフェース方式は信号が伝送される間に雑音が挿入される短所がある。即ち、コネクタの製作良好度、信号線の品質、アナログインタフェースの周辺の雑音発生など様々な原因で伝送される映像及び音声の品質が深刻に損傷されることがあり、信号線そのものの物理的な特性による限界によって伝送可能な信号の忠実度が限定される。また、アナログインタフェース方式は下記のような問題点を更に有している。
【００１２】
第１に、ＤＶＤプレーヤーの制御のためにＤＶＤプレーヤー用リモコンを使用すべきであり、ＴＶはただディスプレー用ターミナルに過ぎない。また、ＴＶそのものの機能のためにはＴＶリモコンを使用するので複数の機器を連結する場合、複数のリモコンが必要となって使用者にとって不便である。
【００１３】
第２に、デジタル機器を連結したとしても、インタフェースがアナログになっているとデジタルインタフェースが提供しうる各種ネットワーク機能が具現できない。
【００１４】
もし、インタフェースとしてＩＥＥＥ  １３９４のようなデジタルインタフェースを使用するなら前記２つの問題点を解決しうる。しかし、前述したＤＶＤプレーヤーはアナログ入力を有するＴＶにおける再生を目的として作り出されたものであり、デジタルＴＶに対して十分に考慮しなかったため、たとえＩＥＥＥ  １３９４インタフェースを使用してＤＶＤプレーヤーとデジタルＴＶとを連結してもデジタルＴＶで現在の規格のＤＶＤ情報の再生は難しい。即ち、デジタルＴＶはＨＤＴＶ(High  Definition  Television)放送を受信する受信器であって、ＭＰＥＧ−２  ＴＳ（Transport  Stream）形態のビットストリームを処理する反面、ＤＶＤプレーヤーはＭＰＥＧ−２  ＰＳ（Program  Stream）形態のビットストリームを貯蔵しているのでＤＶＤプレーヤーがＩＥＥＥ  １３９４インタフェースを通じてＭＰＥＧ−２  ＴＳを処理する他機器に伝送するためには、このＭＰＥＧ−２  ＰＳのＭＰＥＧ−２  ＴＳへのフォーマット変換が要求されている。
【発明の開示】
【発明が解決しようとする課題】
【００１５】
前記問題点を解決するための本発明の目的は、ＤＶＤ情報をネットワークを通じてディスプレー可能な他機器に伝送する時、他機器で使用者の制御命令に応じてＤＶＤ情報を制御しうる伝送装置を提供するにある。
【００１６】
本発明の他の目的は、ＤＶＤ情報をネットワークを通じてディスプレー可能な他機器に伝送する時、他機器で使用者の制御命令に応じてＤＶＤ情報を制御しうる伝送方法を提供するにある。
【課題を解決するための手段】
【００１７】
前記目的を達成するための本発明に係る装置は、同期式チャネルと非同期式チャネルを備えるネットワークを通して、情報を受信する装置であって、ネットワークを通してプログラムストリームを受信する受信器と、プログラムストリームを伝送ストリームへ変換する、伝送フォーマット変換器と、ユーザコマンドを受信するユーザインターフェースマネージャと、ビットマップ画像情報を発生するために、伝送フォーマット変換器により抽出されたサブピクチャを復号する、サブピクチャプロセッサと、スクリーン制御情報を発生するために、伝送フォーマット変換器から抽出されたナビゲーションデータを復号する、ナビゲーションデータプロセッサとを有し、プログラムストリーム内のサブピクチャ情報とナビゲーション情報は、非同期式チャネルを通して受信されることを特徴とする。
【発明の効果】
【００１８】
本発明はＤＶＤ情報をＩＥＥＥ  １３９４インタフェースを用いてＭＰＥＧ伝送ストリーム形態に処理する他機器に伝送する時、プログラムストリームを伝送ストリームにフォーマット変換し伝送してＭＰＥＧフォーマットを有する他機器と容易にインタフェースしうる。
【００１９】
本発明はＤＶＤ情報をＩＥＥＥ  １３９４インタフェースを用いてデジタル信号に伝送するので既存のアナログインタフェース方式で連結媒体の品質及び特性に応じる信号の減衰と雑音による画質及び音質の劣化が全然発生しないという長所がある。
【００２０】
本発明は使用者が多数の信号線を連結しようとする機器毎に連結すべき不便さなしに、ただ一本のＩＥＥＥ  １３９４ケーブルのみを機器に連結することによって、全ての情報の伝送が可能になって使用者は特性の良好な信号線を購入する必要がなく、使用者が多様な機器をどのように連結したかに対する情報を使用者が直接入力し管理する必要もなく、連結状態を自ら探索するプラグアンドプレー(plug&play）が可能である。
【００２１】
本発明はＤＶＤプレーヤーの動作を他機器用リモコンを用いて入力された命令に応じて制御可能になって、機器毎に別の遠隔制御装置が不要になって容易に使用者インタフェースを提供しうる。
【００２２】
また、本発明はＩＥＥＥ  １３９４デジタルインタフェース方式で接続するので、接続された機器でネットワークを構成して機器を統合して管理及び操作でき、ＤＶＤプレーヤーはＩＥＥＥ  １３９４バスを使用するブラウザー基盤ホームネットワークのサーバ機器として使用しうる。
【発明を実施するための最良の形態】
【００２３】
以下、添付された図面に基づき本発明に係るネットワークを通した情報伝送装置及び方法の望ましい実施例を説明する。
【００２４】
図２は本発明の情報伝送装置の一実施例に係るブロック図であって、サーバ（または第１デバイス）として使用されるＤＶＤプレーヤーとクライアント（または第２デバイス）として使用されるデジタルＴＶとはデジタルインタフェースの一例としてＩＥＥＥ  １３９４ケーブルで連結されている。
【００２５】
図２において、スピンドルモータ２０４、ピックアップ部２０６、ＲＦ−ＡＭＰ２０８、サーボコントローラ２１４、ＤＳＰ２１０、バッファ２１２の構成及び動作は図１に示されたスピンドルモータ１０４、ピックアップ部１０６、ＲＦ−ＡＭＰ１０８、サーボコントローラ１１０、ＤＳＰ１１２、バッファ１１４の構成及び動作と同一なのでここではその説明を略す。
【００２６】
ＣＳＳデコーダ２１６はＤＳＰ２１０から提供されるデータがデジタル複製防止のためにスクランブルされたデータならデスクランブルさせる。デスクランブルされたストリームはＭＰＥＧで規定されているプログラムストリームであって、ＭＰＥＧ−１またはＭＰＥＧ−２フォーマットのビデオパック、ＭＰＥＧ、ＡＣ−３または線形ＰＣＭフォーマットのオーディオパック、サブピクチャーパック、ナビゲーションパックで構成されている。
【００２７】
ここで、ナビゲーションパックはビットストリームを制御しうる各種情報、例えばメニュー用ボタン情報、ハイライト情報、角度選択のための情報、ディスク探索情報などが含まれている。そして、字幕、メニューなどを表示する映像情報はサブピクチャーパックに貯蔵されている。メニューは画面上でボタンの位置、カラー、ボタンの個数、ボタンが選択された時のカラー、ボタンが実行された時のカラーなどの情報を含んでいる画面制御情報をナビゲーションパックから参照してディスプレーされる。
【００２８】
ＰＳ／ＴＳ変換器２１８はＣＳＳデコーダ２１６から提供されるプログラムストリーム（ＰＳ）形態のデータをシステムコントローラ２２０の制御下に伝送ストリーム（ＴＳ）形態のデータに変換してＴＳ形態のＡ／ＶデータをＩＥＥＥ  １３９４インタフェース２３０の同期式チャンネル(isochronous  channel）を通してデジタルＴＶ２４０に伝送し、プログラムストリームから分離されたナビゲーションパックとサブピクチャーパックはシステムコントローラ２２０に提供する。
【００２９】
このＩＥＥＥ  １３９４インタフェース２３０は物理階層(physical  layer)及びリンク階層、リンク階層上に位置するＩＰ(Internet  Protocol）階層、ＡＲＰ（Address  Resolution  Protocol)、ＴＣＰ（Transmission  Control  Protocol)、ＵＤＰ（User  Datagram  Protocol）、ＨＴＴＰ(HyperText  Transfer  Protocol）階層、ＤＨＣＰ(Dynamic  Host  Configuration  Protocol）を含むプロトコルスタックを有するウェブサーバを具備する。また、ＩＥＥＥ  １３９４インタフェース２３０はインターネットのＴＣＰ／ＩＰ構造のようにクライアント／サーバ方式を採択せず、機器間の制御のためにコントロールコマンド（例えば、ＡＶ／Ｃ  ＣＴＳ：A/V  Control  and  Transaction  Set)を使用することもある。
【００３０】
システムコントローラ２２０はサーボ制御、データ探索、デッキメカニズム制御によりディスク２０２上で所望のデータを読出し、ＤＳＰ２１０、バッファ２１２の管理により可変ビット率を有するプログラムストリームがオーバーフローまたはアンダフローが発生しないようにする。そして、ウェブサーバ機能を提供するためのプロトコルスタックを具備してウェブページを提供することによってデジタルＴＶ２４０のウェブブラウザ(Web  browser）から検出された座標情報等によってウェブサーバ機能を行う。この際、ＤＶＤプレーヤー用リモコン制御信号を受けて動作することでなく、デジタルＴＶ２４０が受信した情報によりＤＶＤプレーヤーを動作させてディスク内の内容を再生する。
【００３１】
オーディオデータがＰＣＭデータの場合、ＰＣＭデコーダが内蔵されていないシステムのために外部にＰＣＭデータを出力する線形ＰＣＭオーディオデコーダ２２２を更に具備することもある。
【００３２】
図３は図２に示されたＰＳ／ＴＳ変換器２１８のブロック図であって、ナビゲーションパック（ＮＶ＿ＰＣＫ）選択器２５２、サブピクチャーパック（ＳＰ＿ＰＣＫ）選択器２５４、ビデオパック（Ｖ＿ＰＣＫ）選択器２５６、オーディオパック（Ａ＿ＰＣＫ）選択器２５８、ビデオバッファ２６０、オーディオバッファ２６２、バッファ制御器２６４、ＰＡＴ  ＴＳパケット生成器２６６、ＰＭＴ  ＴＳパケット生成器２６８、データＴＳパケット生成器２７０、タイミング制御器２７２及び多重化器２７４からなる。
【００３３】
即ち、ＮＶ＿ＰＣＫ選択器２５２とＳＰ＿ＰＣＫ選択器２５４は図２に示されたＣＳＳデコーダ２１６から提供されるＰＳからデータ制御に関するナビゲーションパックとサブピクチャーパックを抽出してシステムコントローラ２２０に提供する。Ｖ＿ＰＣＫ選択器２５６とＡ＿ＰＣＫ選択器２５８はＰＳからビデオパックとオーディオパックを抽出してビデオバッファ２６０及びオーディオバッファ２６２に各々一時貯蔵する。バッファ制御器２６４はビデオバッファ２６０及びオーディオバッファ２６２のデータ入出力を制御し、ビデオバッファ２６０及びオーディオバッファ２６２に貯蔵されたデータ量を計算する。
【００３４】
ここで、ＭＰＥＧ−２システム階層について簡単に説明する。一つのプログラムはビデオ情報、オーディオ情報及びその他データ情報で構成される。ＭＰＥＧ−２システムで規定しているＭＰＥＧ−２  ＴＳは一つのストリーム中に複数のプログラムに該当するビデオ、オーディオ及びデータ情報を時分割して多重化されている。多重化時には伝送ストリームを受信する機器で所望のプログラムに該当するオーディオ、ビデオ、データ情報を適切に抽出しうるようにＰＳＩ（Program  Specific  Information）が含まれる。ＰＳＩは大部分テーブル形式からなるが、代表的なテーブルとしてはＰＡＴ（Program  Association  Table)、ＰＭＴ（Program  Map  Table)、ＣＡＴ（Conditional  Access  Table）などがある。この中、重要なテーブルはＰＡＴ及びＰＭＴである。ＰＭＴは１プログラム当り１つが存在するものであり、該当プログラムのビデオ、オーディオストリームを含んでいるＴＳパケットに対する一連番号（これをパケット識別子（ＰＩＤ）と称し、ＴＳパケットはその長さが１８８バイトの固定長さである）を項目別に整理しておいた図表である。即ち、このプログラムのビデオストリームはＰＩＤ＝ｘｘｘｘ、オーディオストリームはＰＩＤ＝ＹＹＹＹのように示す。
【００３５】
一つのＴＳには一般に複数個のプログラムが存在するので、ＴＳ内にはＰＭＴも複数個が存在することになる。従って、現在のＴＳ内に伝送されている複数個のプログラムとそれぞれのプログラムに対するＰＭＴに対するＰＩＤを連結させる総合的なテーブルが更に必要となり、このテーブルがＰＡＴである。一般に、一つのプログラムは一つのプログラム番号で代表されるのでＰＡＴ項目は大部分プログラム番号（＝ｘｘｘｘ）とＰＭＴ  ＰＩＤとの関係を定義する情報で構成されている。
【００３６】
従って、ＰＡＴ  ＴＳパケット生成器２６６はシステムコントローラ２２０から出力されるヘッダＩＤ情報とタイミング制御器２７２から提供されるパケット発生タイミング情報を入力されてＰＡＴ  ＴＳパケットを発生する。ＰＭＴ  ＴＳパケット生成器２６８はシステムコントローラ２２０から出力されるヘッダＩＤ情報とタイミング制御器２７２から提供されるパケット発生タイミング情報を入力されてＰＭＴ  ＴＳパケットを発生する。データＴＳパケット生成器２７０はビデオバッファ２６０及びオーディオバッファ２６２からＡ／Ｖデータを受取り、タイミング制御器２７２の制御によりＰＣＲ（Program  Clock  Reference)とＰＴＳ（Presentation  Time  Stamp)を含むデータＴＳパケットを生成する。
【００３７】
タイミング制御器２７２はＰＭＴ  ＴＳ及びＰＡＴ  ＴＳパケットを一定の周期に反復的に発生するようにＰＡＴ  ＴＳパケット生成器２６６及びＰＭＴ  ＴＳパケット生成器２６８にパケット発生タイミング情報を提供し、この際、ＰＡＴ  ＴＳとＰＭＴ  ＴＳパケットは７ｍｓｅｃ以内に一回ずつ伝送されるように伝送タイミングを制御し、またバッファ制御器２６４からビデオバッファ２６０及びオーディオバッファ２６２のバッファ量に対する情報を受取ってデータＴＳパケット生成器２７０のパケット生成タイミングを制御する。多重化器２７４はタイミング制御器２７２の制御下にＰＡＴ  ＴＳパケット生成器２６６、ＰＭＴ  ＴＳパケット生成器２６８及びデータＴＳパケット生成器２７０の出力を多重化してＭＰＥＧ−２  ＴＳ形態に伝送する。
【００３８】
図４は本発明の情報伝送装置の他の実施例に係るブロック図であって、サーバ（または第１デバイス）として使用されるＤＶＤプレーヤーは図２に示された構成と比較すると、サブピクチャー処理器３２２とナビゲーションデータ処理器３２４が更に含まれており、ＰＣＭオーディオデコーダ（図示せず）も更に構成しうる。この際、ＤＶＤプレーヤーの内部のＭＰＥＧビデオデコーダ及びＭＰＥＧオーディオデコーダは本発明の機能とは関係ないためここではその説明を略す。
【００３９】
また、クライアント（または第２デバイス）として使用されるデジタルＴＶはＭＰＥＧ−２  ＴＳ逆多重化器（以下、ＤＥＭＵＸ）３４２、ビデオデコーダ３４４、オーディオデコーダ３４６、ビデオ合成器３４８、使用者インタフェース制御器３５０、ビデオＤＡＣ３５２、オーディオＤＡＣ３５４で構成されている。
【００４０】
図４において、ＰＴ／ＴＳ変換器３１８はＡ／ＶデータのためのＭＰＥＧ−２  ＴＳをＩＥＥＥ  １３９４同期式チャンネルを通じてデジタルＴＶのＤＥＭＵＸ３４２に提供し、ＰＳから抽出されたサブピクチャーパックとナビゲーションパックを各々サブピクチャー処理器３２２及びナビゲーションデータ処理器３２４に提供する。
【００４１】
サブピクチャー処理器３２２はＰＳ／ＴＳ変換器３１８から提供されるサブピクチャーパック情報を処理してビットマップイメージ情報をＩＥＥＥ  １３９４非同期式チャンネルを通してビデオ合成器３４８に伝送する。ナビゲーションデータ処理器３２４はＰＳ／ＴＳ変換器３１８から提供されるナビゲーションパック情報の中からＰＣＩ（Presentation  Control  Information）情報を復号化して得られるサブピクチャーの画面制御情報をＩＥＥＥ  １３９４非同期式チャンネルを通じて使用者インタフェース制御器３５０に伝送し、またデジタルＴＶからＤＶＤプレーヤーの動作を制御するための使用者のキー入力に応じる命令データをＩＥＥＥ  １３９４非同期式チャンネルを通じて伝送されてデータを探索するサーボコントローラ３１４を制御する。ここで、サブピクチャーの画面制御情報は各画素単位の制御情報を伝送するための形式が含まれ、伝送されるサブピクチャー情報中に何れの領域を画面の何れの位置にどんな色に何時表現するかに対する情報からなっている。このサブピクチャーの画面制御情報とビットマップイメージ情報は予め定義された一定の形式で他機器（ここではデジタルＴＶ）の制御器（ここではビデオ合成器３４８と使用者インタフェース制御器３５０）に伝送可能にフォーマット化される。
【００４２】
一方、ＤＶＤ情報を受信するクライアント側、例えばＭＰＥＧ−２  ＴＳ情報の視聴可能なＤＴＶやモニターの場合、ＭＰＥＧ−２  ＴＳ  ＤＥＭＵＸ３４２はＩＥＥＥ  １３９４同期式チャンネルを通じてＰＳ／ＴＳ変換器３１８から出力されるＴＳからビデオストリームとオーディオストリームとに逆多重化する。  ビデオデコーダ３４４は逆多重化されたビデオストリームを復号化し、復号化されたビデオ信号を使用者インタフェース制御器３５０の制御下にＭＰＥＧ−２ビデオフォーマットに応じて与えられたタイミングに出力し、オーディオデコーダ３４６も逆多重化されたオーディオストリームを復号化して使用者インタフェース制御器３５０の制御下にＭＰＥＧ−２オーディオフォーマットに応じて与えられたタイミングに復号化されたオーディオ信号を出力する。
【００４３】
ビデオ合成器３４８は一般の単純なグラフィック情報の画面出力のための機能に、更にＤＶＤプレーヤから伝送されるサブピクチャーを共に伝送された画面制御情報に応じて同期及び位置を合せて映像信号と合成してビデオＤＡＣ３５２を通じて出力する。
【００４４】
もし、ビデオ合成器３４８は使用者からサブピクチャー情報を表現するようにとの命令が入力される場合、例えばメニュー画面を構成したり、字幕を表現するようにとの命令が入力された場合、ＤＶＤプレーヤーのサブピクチャー処理器３２２からＩＥＥＥ  １３９４非同期式チャンネルを通じて伝送されたサブピクチャーのビットマップイメージ情報とＩＥＥＥ  １３９４非同期式チャンネルを通じて伝送されたナビゲーションデータ処理器３２４から生成され、使用者インタフェース制御器３５０から提供される画面制御情報に応じて画面の該当領域に所定時間ビットマップイメージをグラフィックオーバレーによって表現する。
【００４５】
ビデオ合成器３４８の機能中、グラフィックオーバレーに関連された機能はその機器内に具現されているブラウザーによって具現でき、この場合ブラウザーが画面にサブピクチャーを表示する役割を担当する。
【００４６】
使用者インタフェース制御器３５０は従来の場合、該当機器に対するインタフェース制御だけのための構造であったが、本発明では使用者からＤＶＤプレーヤーに関連された命令まで受取り、これをＤＶＤプレーヤーに伝送してＤＶＤ情報を制御しうる。
【００４７】
即ち、使用者インタフェース制御器３５０は、使用者がＤＶＤプレーヤーの動作を制御するためのリモコンのキー入力に応じる命令中ＤＳＩ（Data  Search  Information)情報と関連された命令ならばＩＥＥＥ  １３９４非同期式チャンネルを通じてＤＶＤプレーヤーのナビゲーションデータ処理器３２４に伝送し、ＰＣＩ（Presentation  Control  Information）情報と関連された命令ならばそれ自体が貯蔵しているＰＣＩ情報に応じてビットマップイメージ中に該当領域のカラーを変える命令をビデオ合成器３４８に伝送する。ナビゲーションデータ処理器３２４はＩＥＥＥ  １３９４非同期式チャンネルを通じて伝送されたＤＳＩに関連された命令に応じてＤＶＤディスク３０２のアクセス制御を行うサーボコントローラ３１４を制御する。
【００４８】
図４に示された構成を用いた他の例として、サブピクチャー情報を復号化したビットマップイメージ情報とビットマップイメージを画面に表現するための画面制御情報がＩＥＥＥ  １３９４同期式チャンネルを通じてオーディオ及び／またはビデオ（Ａ／Ｖ）情報と共に伝送されうる。この場合、ＤＶＤプレーヤーはビットマップイメージと画面制御情報またはＡ／Ｖ情報を選択的に伝送するための回路（選択制御器）が追加されるべきであり、ビットマップイメージ情報をどのようにＩＥＥＥ  １３９４同期式チャンネルに伝送するかに対する規格が制定されると具現できる。
【００４９】
図５は本発明の情報伝送装置の更に他の実施例に係るブロック図であって、図４に示された装置の構成と比較すると、ＤＶＤプレーヤーのＰＳ／ＴＳ変換器４１６はＰＳから抽出されたサブピクチャーパックとＰＣＩ情報を有するナビゲーションパックもＴＳにパケット化してＰＡＴ  ＴＳパケット、ＰＭＴ  ＴＳパケット、データＴＳパケットと共に多重化させ、ナビゲーションＤＳＩデコーダ４１８はＰＳ／ＴＳ変換器４１６から出力されたＤＳＩ情報を有するナビゲーションパックを復号化し、ＩＥＥＥ  １３９４非同期式チャンネルを通じてデジタルＴＶから伝送されるナビゲーション命令を受信するようになっており、デジタルＴＶにはＭＰＥＧ−２  ＴＳ  ＤＥＭＵＸ４４２から逆多重化されたサブピクチャーストリームとナビゲーションストリームを各々復号化するサブピクチャーデコーダ４４８とナビゲーションＰＣＩデコーダ４５０が更に含まれている。
【００５０】
図５において、ＰＳ／ＴＳ変換器４１６はＣＳＳデコーダ４１４から提供されるＰＳから抽出されたナビゲーションパックの中、ＤＳＩ情報を有するナビゲーションパックはナビゲーションＤＳＩデコーダ４１８に提供し、ＰＣＩ情報を有するナビゲーションパックとサブピクチャーパックをシステムコントローラ４２０の制御下にナビゲーションＴＳパケットとサブピクチャーＴＳパケットにパケット化し、ナビゲーションＴＳパケットとサブピクチャーＴＳパケットをＰＡＴ  ＴＳパケット、ＰＭＴ  ＴＳパケット、データＴＳパケットと共に多重化させ、多重化されたＴＳをＩＥＥＥ  １３９４同期式チャンネルを通じてデジタルＴＶに伝送する。ナビゲーションＤＳＩデコーダ４１８はＰＳ／ＴＳ変換器４１６から提供されるナビゲーションＤＳＩデータを復号化してから貯蔵している。
【００５１】
一方、デジタルＴＶのＭＰＥＧ−２  ＴＳ  ＤＥＭＵＸ４４２はＩＥＥＥ  １３９４同期式チャンネルを通じて伝送されるＭＰＥＧ−２  ＴＳからビデオストリーム、オーディオストリーム、サブピクチャーストリーム及びナビゲーションストリームに逆多重化する。使用者インタフェース制御器４５４の制御下にビデオデコーダ４４４で復号化されたビデオ信号をビデオ合成器４５２に提供し、オーディオデコーダ４４６で復号化されたオーディオ信号はオーディオＤＡＣ４５８に提供し、サブピクチャーデコーダ４４８でサブピクチャーストリームを復号化したビットマップイメージ情報及びナビゲーションＰＣＩデコーダ４５０でナビゲーションストリームを復号化したＰＣＩに関連された命令をビデオ合成器４５２に提供する。
【００５２】
もし、使用者からサブピクチャー情報を表現するようにとの命令が入力されると、例えばメニュー画面を構成したり、字幕を表現するようにとの命令が入力されると使用者インタフェース制御器４５４はこの命令をビデオ合成器４５２に提供し、ビデオ合成器４５２はサブピクチャーデコーダ４４８から提供されるビットマップイメージを画面の該当領域にグラフィックオーバレーによりディスプレーしてビデオＤＡＣ４５６を通して出力する。
【００５３】
使用者がＰＣＩに関連された命令を入力する場合、使用者インタフェース制御器４５４はこの命令をナビゲーションＰＣＩデコーダ４５０に伝送し、ナビゲーションＰＣＩデコーダ４５０はそのものがデコーディングして貯蔵しているＰＣＩ情報に応じて使用者の命令を処理してビデオ合成器４５２に制御命令を伝送する。
【００５４】
ビデオ合成器４５２は使用者インタフェース制御器４５４とナビゲーションＰＣＩデコーダ４５０からの命令に応じてサブピクチャーデコーダ４４８から伝送されたサブピクチャー情報を画面に表示するが、この時特定サブピクチャーの領域に該当する画素値を変更してディスプレーする。例えば、メニューが表示される状況で使用者がメニュー上の新たなボタンを選択する場合、ナビゲーションＰＣＩデコーダ４５０はサブピクチャーの何れの領域に該当する部分の輝度値を変更するかを、既にデコーディングして有しているＰＣＩ情報から捜し出してビデオ合成器４５２に輝度値変更命令を与えるとビデオ合成器４５２はサブピクチャーの該当領域の画素値を変更してディスプレーする。このような過程によって使用者がＤＴＶ画面に表示されたＤＶＤ制御用メニュー上に示されたハイライトされるボタンの位置を変更しうる。次いで、使用者がメニュー上の特定ボタン位置を選択した場合、この命令はＩＥＥＥ  １３９４非同期式チャンネルを通じてＤＶＤプレーヤーのナビゲーションＤＳＩデコーダ４１８に伝送されて該当命令を行わせる。
【００５５】
従って、使用者インタフェース制御器４５４は使用者からＤＶＤプレーヤーに関連された命令まで受取り、これを解釈してビデオ合成器４５２、ナビゲーションＰＣＩデコーダ４５０またはＤＶＤプレーヤーに伝送しうる。
【００５６】
図５に示された装置の他の例として、ＤＶＤプレーヤーで具現しているナビゲーションＤＳＩデコーダ４１８の機能まで他機器（デジタルＴＶ）が担当しうる。即ち、ＤＶＤから読出された全ての情報はＭＰＥＧ−２  ＴＳ形態に変換されて他機器に伝送され、伝送された他機器はこれをその機器に備えられたデコーダ構造だけデコーディングして使用者に提供する。この場合、図５に示された装置と異なる点はＰＣＩ及びＤＳＩなど全てのナビゲーション情報を伝送される他機器でデコーディングすることで、この際、他機器から直接ＤＶＤ情報を接近するための位置命令をＩＥＥＥ  １３９４非同期式チャンネルを通じてＤＶＤプレーヤーのシステムコントローラに伝送するとシステムコントローラはディスクのアクセスを制御するサーボコントローラを制御する。例えば、他機器のリモコン上の再生キーが押下された場合ディスク上の何れの住所から情報を読出すかに対する命令をＤＶＤプレーヤーに伝送することになる。
【００５７】
図５に示された装置の更に他の例として、他機器で具現されているナビゲーションＰＣＩデコーダの機能をＤＶＤプレーヤーが担当しうる。この場合、ＰＳ／ＴＳ変換器ではナビゲーション情報がＴＳに多重化されず、他機器に伝送される必要もない。ＤＶＤプレーヤーで読出されたナビゲーション情報は全てＤＶＤプレーヤー内のナビゲーションデコーダが処理し、ＰＣＩ情報の場合にはサブピクチャー中に何れの部分に該当する画素値を変更するかに対する命令をＩＥＥＥ  １３９４非同期式チャンネルで他機器のビデオ合成器に伝送する。この際、使用者のナビゲーション関連制御命令は全てＩＥＥＥ  １３９４非同期式チャンネルを通じてＤＶＤプレーヤーに伝送される。
【図面の簡単な説明】
【００５８】
【図１】一般のＤＶＤプレーヤーのブロック図である。
【図２】本発明の伝送装置の一実施例に係るブロック図である。
【図３】図２に示されたＰＳ／ＴＳ変換器の詳細ブロック図である。
【図４】本発明の伝送装置の他の実施例に係るブロック図である。
【図５】本発明の伝送装置の更に他の実施例に係るブロック図である。
【符号の説明】
【００５９】
２０２  ディスク
２０４  スピンドルモータ
２０６  ピックアップ部
２０８  高周波増幅部（ＲＦ−ＡＭＰ）
２１０  デジタル信号プロセッサー（ＤＳＰ）
２１２  バッファ
２１４  サーボコントローラ
２１６  ＣＳＳデコーダ
２１８  ＰＳ／ＴＳ変換器
２２０  システムコントローラ
２２２  線形ＰＣＭオーディオデコーダ
２３０  ＩＥＥＥ  １３９４インタフェース
２４０  デジタルＴＶ
【図１】
2006129528.tif 000003
【図２】
2006129528.tif 000004
【図３】
2006129528.tif 000005
【図４】
2006129528.tif 000006
【図５】
2006129528.tif 000007